(57)【要約】【課題】  冷凍機室に設置された圧縮機の温度上昇を抑制することができる空気調和機の室外機を提供すること。【解決手段】  空気調和機の室外機１では、凝縮器用ファン６が設置された凝縮器室８と圧縮機９が設置された冷凍機室１１とにハウジングの内部を区画する仕切板５に通気口１４を設けており、凝縮器室８に設置された凝縮器用ファン６によって、仕切板５に通気口１４を介し、冷凍機室１１内の空気が凝縮器室８内に排出され、冷凍機室１１内の温度上昇を抑えることができるので、冷凍機１１室に設置された圧縮機９の温度上昇も抑えることができる。【選択図】  図１
2005106423.tif 000002
【特許請求の範囲】
【請求項１】
複数のパネルで構成された外筐と、前記外筐に内設された凝縮器用ファンと、前記外筐に内設された圧縮機と、前記外筐に内設されたアキュムレータと、前記凝縮器用ファンが設置された凝縮器室と前記圧縮機及び前記アキュムレータが設置された冷凍機室とに前記外筐の内部を区画する仕切板と、を有する空気調和機の室外機において、
前記仕切板に設けられた通気口と、
前記外筐のパネルの一つであるベースパネルに設けられるとともに前記外筐の内部の冷凍機室に連通する吸気口と、を備えたこと、を特徴する空気調和機の室外機。
【請求項２】
前記仕切板の通気口は、切り起こし形状に形成されるとともに、前記仕切板の下部に配置されたこと、を特徴とする請求項１に記載の空気調和機の室外機。
【請求項３】
前記アキュムレータの真下に前記ベースパネルの吸気口が配置されたこと、を特徴する請求項１又は請求項２に記載の空気調和機の室外機。
【発明の詳細な説明】
【技術分野】
【０００１】
本発明は、圧縮機が設置された冷凍機室を有する空気調和機（プレハブ冷蔵庫を含む）の室外機に関するものである。
【背景技術】
【０００２】
従来、大量の野菜や果実その他肉や魚等の生鮮食品を、長期にわたり冷蔵庫や冷凍庫等として、例えば、貯蔵庫本体をプレハブ式の建造物で構成した業務用の冷蔵庫が知られている。この種の大型冷蔵庫では、庫内に配設した冷却ユニットを稼働させるための熱交換ユニットを、貯蔵庫本体の外部に配置している。また、冷房・暖房運転を行う空気調和機においても、室内の冷暖房ユニットに接続する熱交換ユニットを室外機に備えるようになっている。この点、本発明は、プレハブ式冷蔵庫の熱交換ユニット及び空気調和機の熱交換ユニットに関するものであるが、説明の便宜上、それらの熱交換ユニットを空気調和機の室外機と記載する。
【０００３】
従来、空気調和機の室外機においては、機器・部品類を効率よく冷却するために、様々な工夫がなされていきている。（例えば、特許文献１、特許文献２、特許文献３参照）。
【特許文献１】特開平５−６６０２８号公報
【特許文献２】特開平８−２７８０４２号公報
【特許文献３】特開平９−８９３１２号公報
【０００４】
この点、圧縮機の温度を下げるには、例えば、以下に述べる方法で行われていた。ここでは、圧縮機の温度を下げる方法を説明するために、先ず、空気調和機の室外機の冷凍回路について、図１１に基づいて説明する。空気調和機で冷房が行われると、図１１に示すように、室内ファン１０１からの室内空気によって室内冷却器１０２で蒸発した冷媒は、室外機の圧縮機１０３により高温・高圧のガスになる。そして、室外機の圧縮機１０３により高温・高圧となった冷媒ガスは、室外ファン１０４からの外気によって、室外機の凝縮器１０５で冷却・凝縮される。そして、室外機の凝縮器１０５で凝縮された冷媒は、室内機の膨張弁１０６で膨張した後、室内冷却器１０２にて、室内ファン１０１の室内空気から熱を奪い蒸発する。このとき、室内空気は、冷媒の蒸発熱により冷却されて冷風となり、冷房効果が生じる。そして、蒸発した冷媒は、再び、室外機の圧縮機１０３に送られ、同様なサイクルが繰り返される。
【０００５】
このとき、室外機の圧縮機１０３の温度を下げるには、室外機のソレノイドバルブ１０７を開放し、液インジェクションキャピラリー１０８を介して、室外機の凝縮器１０５で凝縮された冷媒の一部を室外機の圧縮機１０３に戻し、その冷媒を室外機の圧縮機１０３にて蒸発させることにより行っていた。
【発明の開示】
【発明が解決しようとする課題】
【０００６】
しかしながら、周囲温度が非常に高い夏季の昼間などにおいては、冷媒の高圧圧力が上昇し、室外機の圧縮機１０３の温度も高温になることから、液インジェクションキャピラリー１０８を活用するだけでは、室外機の圧縮機１０３の温度上昇を抑制するにも限界があった。
【０００７】
そこで、本発明は、上述した点を鑑みてなされたものであり、冷凍機室に設置された圧縮機の温度上昇を抑制することができる空気調和機の室外機を提供することを課題とする。
【課題を解決するための手段】
【０００８】
この課題を解決するために成された請求項１に係る発明は、複数のパネルで構成された外筐と、前記外筐に内設された凝縮器用ファンと、前記外筐に内設された圧縮機と、前記外筐に内設されたアキュムレータと、前記凝縮器用ファンが設置された凝縮器室と前記圧縮機及び前記アキュムレータが設置された冷凍機室とに前記外筐の内部を区画する仕切板と、を有する空気調和機の室外機において、前記仕切板に設けられた通気口と、前記外筐のパネルの一つであるベースパネルに設けられるとともに前記外筐の内部の冷凍機室に連通する吸気口と、を備えたこと、を特徴としている。
【０００９】
また、請求項２に係る発明は、請求項１に記載の空気調和機の室外機であって、前記仕切板の通気口は、切り起こし形状に形成されるとともに、前記仕切板の下部に配置されたこと、を特徴としている。
【００１０】
また、請求項３に係る発明は、請求項１又は請求項２に記載の空気調和機の室外機であって、前記アキュムレータの真下に前記ベースパネルの吸気口が配置されたこと、を特徴としている。
【発明の効果】
【００１１】
すなわち、本発明の空気調和機の室外機では、凝縮器用ファンが設置された凝縮器室と圧縮機が設置された冷凍機室とに外筐の内部を区画する仕切板に通気口を設けており、凝縮器室に設置された凝縮器用ファンによって、仕切板に通気口を介し、冷凍機室内の空気が凝縮器室内に排出され、冷凍機室内の温度上昇を抑えることができるので、冷凍機室に設置された圧縮機の温度上昇も抑えることができる。
【００１２】
ここで、本発明の空気調和機の室外機では、外筐の内部の冷凍機室に連通する吸気口を外筐のパネルの一つであるベースパネルに設けており、仕切板に通気口を介して冷凍機室内の空気が凝縮器室内に排出される際に、ベースパネルの吸気口を介して冷凍機室内に外気が流れ込むので、冷凍機室内の空気の排出がスムーズになり、さらに、ベースパネルの吸気口を介して雨水などが冷凍機室内に侵入することも防止できる。
【００１３】
また、本発明の空気調和機の室外機において、仕切板の通気口を、切り起こし状に形成するとともに、仕切板の下部に配置すれば、仕切板の通気口を介して雨水などが冷凍機室内に侵入することを防止することができる。
【００１４】
また、本発明の空気調和機の室外機において、アキュムレータの真下にベースパネルの吸気口が配置されていれば、アキュムレータからの結露水を、効率よく、ベースパネルの吸気口から機外へ排出することができる。
【発明を実施するための最良の形態】
【００１５】
以下、本発明の実施の形態を図面を参照にして説明する。本実施の形態の空気調和機の室外機の斜視図を図２に示す。図２に示すように、本実施の形態の空気調和機の室外機１には、ベースパネル２に対して、フロントパネル３やリアパネル４やワイヤ製のルーパー２１などが組み付けられている。尚、フロントパネル３とリアパネル４との間にはサイドパネルが組み付けられ、さらに、フロントパネル３とリアパネル４とワイヤ製のルーパー２１の上にはアッパーパネルが組み付けられるが、説明の便宜上、サイドパネルとアッパーパネルは省略している。従って、図示されたベースパネル２やフロントパネル３やリアパネル４やワイヤ製のルーパー２１に、不図示のサイドパネルとアッパーパネルなどを加えて、本実施の形態の空気調和機の室外機１のハウジングが構成される。
【００１６】
また、本実施の形態の空気調和機の室外機１のハウジング内は、仕切板５によって、凝縮器用ファン６や凝縮器７などが設置された凝縮器室８と、圧縮機９やアキュムレータ１０などが設置された冷凍機室１１に区画されている。尚、符号１２は、凝縮器７で凝縮された冷媒の一部を圧縮機９に戻すためのソレノイドバルブである。また、符号１３は、凝縮器７で凝縮された冷媒の一部を圧縮機９に戻す経路となる液インジェクションキャピラリーである。
【００１７】
そして、仕切板５の下方には、図１に示すように、凝縮器室８の側に突出するように切り起こされた複数の通気口１４が設けられ、さらに、アキュムレータ１０の真下には、複数の吸気口１５がベースパネル２に設けられている。尚、図１では、説明の便宜上、図２に示された空気調和機の室外機１から、フロントパネル３とワイヤ製のルーパー２１を省略している。
【００１８】
従って、本実施の形態の空気調和機の室外機１では、凝縮器用ファン６が駆動すると、凝縮器室８内が僅かに負圧になるため、仕切板５の通気口１４を介して、冷凍機室１１内の空気が凝縮器室８内に吸い出され、冷凍機室１１内の温度を下げることができる。これにより、ソレノイドバルブ１２を開放し、液インジェクションキャピラリー１３を介して、凝縮器７で凝縮された冷媒の一部を圧縮機９に戻し、その冷媒を圧縮機９にて蒸発させたにもかかわらず、圧縮機９の温度上昇が抑制できない程に周囲温度が非常に高くなる夏季の昼間などにおいても、冷凍機室１１内の温度を下げることができ、ひいては、冷凍機室１１に設置された圧縮機９の温度も下げることが可能となる。
【００１９】
また、仕切板５の通気口１４については、凝縮器室８の側に突出するように切り起こされた形状になっており、さらに、凝縮器室８の側の開口部が下側になるように切り起こされ、仕切板５の下部に設けられていることから、凝縮器用ファン６により凝縮器室８内に吸い込まれた雨水が、仕切板５の通気口１４を介して、冷凍機室１１内に侵入することを防止することができる。
【００２０】
また、ベースパネル２の吸気口１５については、冷凍機室１１に設置されたアキュムレータ１０の真下に設けられていることから、冷凍機室１１への吸気だけでなく、冷えた低圧冷媒によりアキュムレータ１０に発生して落下する結露水を機外に排出する排出口としての役目を兼用することができる。
【００２１】
また、本実施の形態の空気調和機の室外機１では、図３に示すように、ベースパネル２は、内側が高く外周部分が低くなるように絞り加工されている。そして、ベースパネル２の低い位置にある外周部分において、排水口３１が一つ設けられている。また、図４に示すように、Ｌ字状に曲げ成形された凝縮器７の両端側板７ａ，７ｂは、ベースパネル２の低い位置にある外周部分においてネジ固定され、凝縮器７の曲げ部分７ｃは、ベースパネル２の高い位置にある内側においてネジ固定される。
【００２２】
また、図５に示すように、本実施の形態の空気調和機の室外機１のハウジング内は、仕切板５によって、凝縮器用ファン６や凝縮器７などが設置され熱交換を行う凝縮器室８と、圧縮機９やアキュムレータ１０などが設置され冷凍回路の主要部が収まる冷凍機室１１に区画されている。この点、図５に示す仕切板５においては、図１に示すものとは異なって、下部に防水部材３２が取り付けられており、ベースパネル２上を伝わって、凝縮器室８から冷凍機室１１に水が侵入することを防いでいる。尚、図５では、説明の便宜上、図２に示された空気調和機の室外機１から、フロントパネル３とワイヤ製のルーパー２１とリアパネル４を省略している。
【００２３】
また、図６に示すように、本実施の形態の空気調和機の室外機１のハウジング内では、凝縮器７が、冷却パイプの断面あるいは冷却フィンが大きく変形しない程度の比較的大きな角度で曲げられているため、凝縮器７の曲げ部分７ｃとワイヤ製のルーパー２１との間において空間Ａが形成される。そして、空間Ａの下部には、ベースパネル２の低い位置にある外周部分に形成された排水口３１が位置する。また、凝縮器７の冷却パイプや冷却フィンなどは、ワイヤ製のルーパー２１により保護される。尚、図６では、説明の便宜上、図２に示された空気調和機の室外機１に対して、サイドパネル３３が示されている。
【００２４】
また、図７及び図８に示すように、本実施の形態の空気調和機の室外機１では、パイプを切断したものがベースパネル２に溶接されることにより、排水口３１が設けられている。このパイプは、市販の水道ホースが嵌め込める径を有し、さらに、ベース脚２ａ，２ｂの高さよりも短くなっており、本実施の形態の空気調和機の室外機１が置かれた際には地面に接触しないようになっている。尚、図７では、説明の便宜上、図２に示された空気調和機の室外機１に対して、アッパーパネル３４が示されている。
【００２５】
また、図９に示すように、本実施の形態の空気調和機の室外機１が置かれた際には、２つの下台３６に載置されるのが通常であるので、市販の水道ホース３５を排水口３１に接続して使用することが容易となる。この点は、図１０に示すように、本実施の形態の空気調和機の室外機１を専用枠組み３７によって２段積みにしても、同様である。尚、図９では、説明の便宜上、図２に示された空気調和機の室外機１に対して、アッパーパネル３４が示されている。また、図１０では、説明の便宜上、図２に示された空気調和機の室外機１に対して、サイドパネル３３とアッパーパネル３４が示されている。
【００２６】
尚、本実施の形態の空気調和機の室外機１において、排水口３１からの主な排水としては、屋外設置による雨水等の侵入や凝縮器７の洗浄によるものが多く、いずれも、ベースパネル２上を、高い内側から低い外周部分に流れることによって、排水口３１に案内される。また、凝縮器室８内に侵入した水も、凝縮器７の下部の隙間を通って、排水口３１に案内される。
【００２７】
従って、本実施の形態の空気調和機の室外機１では、凝縮器７の曲げ部分７ｃとワイヤ製のルーパー２１との間において形成された空間Ａを有効活用することができる。また、ベースパネル２に設けられた一つの排水口３１から排水されるため、本実施の形態の空気調和機の室外機１の下部が水浸しになることがない。また、排水口３１がパイプ状であり、市販の水道ホース３５を排水口３１に接続して使用することができるので、排水口３１に接続された市販の水道ホース３５を介して、所定の場所まで排水を案内することが可能となった（図９参照）。従って、本実施の形態の空気調和機の室外機１を２段積みにしても、下段に設置されたものを上段に設置されたものの排水で濡れることを防止でき、衛生的である（図１０参照）。尚、ワイヤ製のルーパー２１を取り外せば、ベースパネル２に設けられた排水口３１に詰まったゴミを容易に除去することができる。
【００２８】
以上詳細に説明したように、本実施の形態の空気調和機の室外機１は、ベースパネル２やフロントパネル３やリアパネル４やワイヤ製のルーパー２１に加え、サイドパネル３３とアッパーパネル３４などで構成されたハウジングと、ハウジングに内設された凝縮器用ファン６と、ハウジングに内設された圧縮機９と、ハウジングに内設されたアキュムレータ１０と、凝縮器用ファン６が設置された凝縮器室８と圧縮機９及びアキュムレータ１０が設置された冷凍機室１１とにハウジングの内部を区画する仕切板５と、を有しており、さらに、仕切板５に通気口１４を設けている。
【００２９】
この点、本実施の形態の空気調和機の室外機１では、凝縮器用ファン６が設置された凝縮器室８と圧縮機９が設置された冷凍機室１１とにハウジングの内部を区画する仕切板５に通気口１４を設けており、凝縮器室８に設置された凝縮器用ファン６によって、仕切板５に通気口１４を介し、冷凍機室１１内の空気が凝縮器室８内に排出され、冷凍機室１１内の温度上昇を抑えることができるので、冷凍機１１室に設置された圧縮機９の温度上昇も抑えることができる。
【００３０】
もっとも、ソレノイドバルブ１２を開放し、液インジェクションキャピラリー１３を介して、凝縮器７で凝縮された冷媒の一部を圧縮機９に戻し、その冷媒を圧縮機９にて蒸発させれば、圧縮機９の温度上昇を抑制することもできるが、この方法では、不図示の室内冷却器への冷媒量が圧縮機９に戻される量だけ減少するので、冷凍能力が低下するが、本実施の形態の空気調和機の室外機１では、不図示の室内冷却器への冷媒量が減少することがないので、冷凍能力が低下することはない。
【００３１】
尚、本実施の形態の空気調和機の室外機１において、上述したように、仕切板５に通気口１４により、冷凍機１１室に設置された圧縮機９の温度上昇を抑えることに加えて、ソレノイドバルブ１２を開放し、液インジェクションキャピラリー１３を介して、凝縮器７で凝縮された冷媒の一部を圧縮機９に戻し、その冷媒を圧縮機９にて蒸発させることにより、圧縮機９の温度上昇を抑制すれば、周囲温度が非常に高くなる夏季の昼間などにおいても、冷凍機室１１に設置された圧縮機９の温度をより効果的に下げることが可能となる。
【００３２】
また、本実施の形態の空気調和機の室外機１では、図１及び図２に示すように、ハウジングの内部の冷凍機室１１に連通する吸気口１５をハウジングを構成するパネルの一つであるベースパネル２に設けており、仕切板５に通気口１４を介して冷凍機室１１内の空気が凝縮器室８内に排出される際に、ベースパネル２の吸気口１５を介して冷凍機室１１内に外気が流れ込むので、冷凍機室１１内の空気の排出がスムーズになり、さらに、ベースパネル２の吸気口１５を介して雨水などが冷凍機室１１内に侵入することも防止できる。
【００３３】
また、本実施の形態の空気調和機の室外機１では、図１に示すように、仕切板５の通気口１４を、切り起こし状に形成するとともに、仕切板５の下部に配置しているので、仕切板５の通気口１４を介して雨水などが冷凍機室１１内に侵入することを防止することができる。
【００３４】
また、本実施の形態の空気調和機の室外機１では、アキュムレータ１０の真下にベースパネル２の吸気口１５が配置されているので、アキュムレータ１０からの結露水を、効率よく、ベースパネル２の吸気口１５から機外へ排出することができる。
【００３５】
尚、本発明は上記実施の形態に限定されるものでなく、その趣旨を逸脱しない範囲で様々な変更が可能である。
例えば、ベースパネル２の吸気口１５については、上述したように、冷凍機室１１に設置されたアキュムレータ１０の真下に設けられていることから、冷凍機室１１への吸気だけでなく、冷えた低圧冷媒によりアキュムレータ１０に発生して落下する結露水を機外に排出する排出口としての役目を兼用することができる。この点、吸気としての役目だけに専用して使用する場合には、冷凍機室１１を機外と区画している部分であれば、どこにでも吸気口を設けることが可能である。もっとも、吸気口１５のように、ベースパネル２に設けると、機外から雨水が冷凍機室１１内に侵入することを防止することができる。
【産業上の利用可能性】
【００３６】
本発明は、冷凍回路の圧縮機と凝縮器用ファンとを隔てる仕切板を有した室外機に適用し得る。
【図面の簡単な説明】
【００３７】
【図１】本発明の一実施形態による空気調和機の室外機の斜視図である。
【図２】本発明の一実施形態による空気調和機の室外機の斜視図である。
【図３】本発明の一実施形態による空気調和機の室外機のベースパネルの斜視図である。
【図４】本発明の一実施形態による空気調和機の室外機において、凝縮器が組み付けられた状態のベースパネルの斜視図である。
【図５】本発明の一実施形態による空気調和機の室外機の斜視図である。
【図６】本発明の一実施形態による空気調和機の室外機の平面図である。
【図７】本発明の一実施形態による空気調和機の室外機の背面図である。
【図８】本発明の一実施形態による空気調和機の室外機の部分底面図である。
【図９】本発明の一実施形態による空気調和機の室外機の背面図であって、地面に設置された状態の一例を示した図である。
【図１０】本発明の一実施形態による空気調和機の室外機の正面図であって、２段積みで設置された状態の一例を示した図である。
【図１１】背景技術の空気調和機の室外機における冷凍回路を示した図である。
【符号の説明】
【００３８】
１    空気調和機の室外機
２    ベースパネル
３    フロントパネル
４    リアパネル
５    仕切板
６    凝縮器用ファン
７    凝縮器
８    凝縮器室
９    圧縮機
１０  アキュムレータ
１１  冷凍機室
１２  ソレノイドバルブ
１３  液インジェクションキャピラリー
１４  通気口
１５  吸気口
２１  ワイヤ製ルーパー
３３  サイドパネル
１  アッパーパネル
【図１】
2005106423.tif 000003
【図２】
2005106423.tif 000004
【図３】
2005106423.tif 000005
【図４】
2005106423.tif 000006
【図５】
2005106423.tif 000007
【図６】
2005106423.tif 000008
【図７】
2005106423.tif 000009
【図８】
2005106423.tif 000010
【図９】
2005106423.tif 000011
【図１０】
2005106423.tif 000012
【図１１】
2005106423.tif 000013